(57)【要約】【課題】ユーザにとって不要になった番組を自動的に削除することにより、ユーザ自身が削除することなく記録媒体の容量を効率よく使用することができる映像録画再生装置を提供する。【解決手段】番組管理部１０９は番組録画を行う際に同一番組上書きモードフラグが有効であり、かつ記録媒体１０８上に同一番組が存在すれば当該番組が記録されているデータファイルエリアに最新の番組を上書きする。また再生を行う際に再生後削除モードフラグが有効な番組があれば、再生した後に当該番組の削除を行う。更に指定期間後削除モードフラグが有効な番組があれば、設定された期間が経過した後に当該番組の削除を行う。【選択図】  図１
2004172682.tif 000002
【特許請求の範囲】
【請求項１】
放送番組を録画する記録媒体と、前記記録媒体に放送番組を録画する処理を行う録画部と、番組予約リストと録画番組リストとを記憶するメモリと、前記録画番組リストから所望の番組を選択して前記記録媒体に録画されている番組を再生する再生部とを有する映像録画再生装置であって、前記再生部が番組を再生する際に当該番組の再生後削除フラグが有効であり、かつ有効再生回数が１であれば再生を行った後に当該番組を前記記録媒体から削除することを特徴とする映像録画再生装置。
【請求項２】
前記有効再生回数が２以上であれば再生を行った後に前記有効再生回数から１引いた値を新たな有効再生回数として前記録画番組リストを更新することを特徴とする請求項２記載の映像録画再生装置。
【請求項３】
放送番組を録画する記録媒体と、前記記録媒体に放送番組を録画する処理を行う録画部と、番組予約リストと録画番組リストとを記憶するメモリと、前記録画番組リストから所望の番組を選択して前記記録媒体に録画されている番組を再生する再生部とを有する映像録画再生装置であって、前記記録媒体に録画されている番組において指定期間後削除フラグが有効であり、かつ指定期間を経過していれば当該録画番組の削除を行うことを特徴とする映像録画再生装置。
【発明の詳細な説明】
【０００１】
【発明の属する技術分野】
本発明は映像録画再生装置に関し、特に記録媒体（ＨＤＤ、ＣＤ−Ｒ／ＲＷ、ＤＶＤ−Ｒ／ＲＡＭ／ＲＷ／ＲＷ＋等）を有効的に活用することができる映像録画再生装置に関する。
【０００２】
【従来の技術】
従来の映像録画再生装置においては、記録媒体（ＨＤＤ、ＣＤ−Ｒ／ＲＷ、ＤＶＤ−Ｒ／ＲＡＭ／ＲＷ／ＲＷ＋等）に録画した番組を削除する場合、ユーザが録画した番組一覧から選択して削除を行っていた。
【０００３】
図６は従来の映像録画再生装置の構成を示すブロック図である。１０２は放送電波を受信するアンテナ、１０３はユーザからの入力を受け付けるリモコン・マウス・キーボード等の入力部、１０４は番組を表示するモニタ、１０５は録画予約リスト及び録画した番組のリスト（以下録画番組リスト）を格納するメモリ、１０６は番組を録画する録画部、１０７は録画された番組を再生する再生部、１０１は装置全体を制御する制御部、１０８は番組を録画（記録）する記録媒体である。
【０００４】
従来の映像録画再生装置において録画した番組を削除する場合、ユーザがメモリ７０５に格納された録画番組リストを表示させ、リストから削除したい番組を選択して記録媒体から削除を行っていた。
【０００５】
【発明が解決しようとする課題】
しかしながら、録画した番組を記録させる記録媒体には容量の限度があるので、頻繁に録画したりするユーザ、または長時間録画をするユーザは頻繁に番組を削除を手作業で行う必要があり、かなりの手間になっていた。記録媒体の容量を効率よく使用する方法として特許文献１には、ユーザの興味ある分類でないと判別された場合に、この分類により録画された番組を消去することにより録画する必要のない番組の録画防止と記録倍の記録容量確保を行うことができる技術が記載されている。しかしながら、上記技術ではユーザの興味がない分類であっても録画したい番組には個別にフラグを付加することにより削除を防止できるが、この場合削除しようとすれば従来通り録画番組を一覧表示させてユーザが個別に削除を行う必要がある。
【０００６】
本発明は上記問題点に鑑み、ユーザにとって不要になった番組を自動的に削除することにより、ユーザ自身が削除することなく記録媒体の容量を効率よく使用することができる映像録画再生装置を提供することを目的とする。
【０００７】
【特許文献１】
特開２００１−２５７９８６号公報
【０００８】
【課題を解決するための手段】
本発明の映像録画再生装置は、放送番組を録画する記録媒体と、前記記録媒体に放送番組を録画する処理を行う録画部と、番組予約リストと録画番組リストとを記憶するメモリと、前記録画番組リストから所望の番組を選択して前記記録媒体に記録されている番組を再生する再生部とを有する映像録画再生装置であって、前記録画部が放送番組の録画処理をする際に当該放送番組の同一番組上書きフラグが有効であり、かつ前記記録媒体に同一番組が存在すれば前記同一番組が記録されている領域に上書き録画を行うことを特徴とする。
【０００９】
また本発明の映像録画再生装置は、放送番組を録画する記録媒体と、前記記録媒体に放送番組を録画する処理を行う録画部と、番組予約リストと録画番組リストとを記憶するメモリと、前記録画番組リストから所望の番組を選択して前記記録媒体に記録されている番組を再生する再生部とを有する映像録画再生装置であって、前記再生部が番組を再生する際に当該番組の再生後削除フラグが有効であり、かつ有効再生回数が１であれば再生を行った後に当該番組を記録媒体から削除することを特徴とする。
【００１０】
また本発明の映像録画再生装置は、前記有効再生回数が２以上であれば再生を行った後に前記有効再生回数から１引いた数を新たな有効再生回数として前記録画番組リストを更新することを特徴とする。
【００１１】
更に本発明の映像録画再生装置は、放送番組を録画する記録媒体と、前記記録媒体に放送番組を録画する処理を行う録画部と、番組予約リストと録画番組リストとを記憶するメモリと、前記録画番組リストから所望の番組を選択して前記記録媒体に記録されている番組を再生する再生部とを有する映像録画再生装置であって、前記記録媒体に録画されている番組において指定期間後削除フラグが有効であり、かつ指定期間を経過していれば当該録画番組の削除を行うことを特徴とする。
【００１２】
【発明の実施の形態】
図１は本発明の映像録画再生装置の構成を示すブロック図である。１０２は放送電波を受信するアンテナ、１０３はユーザからの入力を受け付けるリモコン・マウス・キーボード等の入力部、１０４は番組を表示するモニタ、１０５は録画予約リスト及び録画番組リストを格納するメモリ、１０６は番組を録画する録画部、１０７は録画された番組を再生する再生部、１０１は装置全体を制御する制御部、１０８は番組を録画（記録）する記録媒体、１０９はメモリ１０５から予約リスト及び録画番組リストを取り出し、リストに登録されている個々の番組情報に応じて番組の上書き・削除・空き領域録画を指示する番組管理部である。
【００１３】
本発明は番組削除を行う条件として３つの削除モード（同一番組上書き、再生後削除、指定期間後削除）がある。「同一番組上書きモード」では、このモードを指定することにより記録媒体から前の同一番組を検索し、当該番組が記録されているデータファイルエリアに最新の番組を上書きする。「再生後削除モード」では、録画済み番組を再生した後当該番組を削除する。「指定期間後削除モード」では、録画されてから指定した期間が経過した番組を削除する。
【００１４】
次に本発明の動作について説明を行う。まず録画処理について図１及び図２のフローチャートを用いて説明を行う。ユーザは予約録画をするか選択を行い（Ｓ１）、予約録画をしない場合はユーザが入力部１０３で直接録画を指示する（Ｓ２）。この際削除モードの設定を行うか行わないかを選択することができ、削除モードの設定を行う場合は当該削除モードのフラグを有効にする。ここで、生成後削除モード及び指定期間後削除モードを設定する場合、削除モード設定情報の設定を行う。削除モード設定情報とは再生後削除モードにおいては何回再生した後に削除するかを決める有効再生回数であり、指定期間後削除モードにおいては削除を行う日時、もしくは録画してからの時間数である。また、予約録画をする場合はユーザが録画したいチャンネル・開始時刻・終了時刻を入力部１０３で入力するか、電子番組表（ＥＰＧ）やＧコードを用いて予約を行う（Ｓ３）。この場合も削除モードの設定を行うか行わないかの選択を行う。予約が終了すればメモリ１０５内の予約録画リストに追加される（Ｓ４）。予約録画リストの一例を図４に示す。
【００１５】
ユーザが直接録画を指示するか、予約録画開始時間になった際に録画開始準備が行われ（Ｓ５）、番組管理部１０９は同一番組上書きフラグが有効になっているか否かを判断する（Ｓ６）。番組管理部１０９はフラグが有効でなければ記録媒体の空き領域に書き込み（録画）を指示する（Ｓ７）。フラグが有効であればチャンネル番号・番組名・開始時間等から記録媒体内に同一番組が録画されているかどうか検索を行い（Ｓ８）、同一番組が存在しなければ空き領域に書き込みを指示する（Ｓ７）。同一番組が存在すれば当該データファイルエリアに最新の番組の上書きを行う（Ｓ９）。
【００１６】
ユーザが入力部１０３を用いて録画停止を指示するか、予約録画終了時間になった際に録画を終了し、メモリ１０５内の録画番組リストの追加／更新を行う（Ｓ１０）。図５は録画番組リストの一例である。
【００１７】
次に再生処理について図１及び図３のフローチャートを用いて説明を行う。ユーザはメモリ１０５内の録画番組リストから再生したい番組を選択する（Ｓ１１）。番組管理部１０９は選択された番組の再生後削除フラグが有効であるか否かを判断する（Ｓ１２）。フラグが有効でなければ当該番組の再生を行う（Ｓ１３）。フラグが有効であれば削除モード設定情報の有効再生回数Ｎが１であるか判断し（Ｓ１４）、１でなければ当該番組の再生を行い（Ｓ１５）、有効再生回数Ｎから１を引いた値を新たな有効再生回数Ｎにし、録画番組リストを変更する（Ｓ１６）。有効再生回数Ｎが１であれば当該番組の再生を行い（Ｓ１７）、再生が終了した段階で当該番組ファイルを記録媒体から削除し（Ｓ１８）、メモリ１０５内の録画番組リストから当該番組のデータを削除する（Ｓ１９）。図５の録画番組リストを例にとれば、（ｂ）の番組は１度再生が行われれば削除される。（ｃ）の番組は１度再生が行われれば削除モード設定情報の値が１になり、次に再生された後に削除される。
【００１８】
また番組管理部１０９は適宜メモリ１０５内の録画番組リストをチェックし、指定期間後削除モードのフラグが有効であり、なおかつ指定期間を過ぎている番組を記録媒体から削除し、更に録画番組リストから当該番組データの削除を行う。録画番組リストをチェックするタイミングとしては映像録画再生装置の起動時、終了時、装置のアイドル時間中、録画指示時、再生指示時等が考えられる。図５の録画番組リストを例にとれば、（ｄ）の番組は２００２年１１月５日に削除され、（ｅ）の番組は録画が終了してから４８時間後に削除される。
【００１９】
【発明の効果】
以上説明したように本発明の映像録画再生装置によれば、ユーザにとって不要になった番組を自動的に削除することができ、ユーザ自身が削除することなく記録媒体の容量を効率よく使用することができる。
【図面の簡単な説明】
【図１】本発明の構成を示すブロック図である。
【図２】録画処理を示すフローチャートである。
【図３】再生処理を示すフローチャートである。
【図４】予約録画リストの一例を示す図である。
【図５】録画番組リストの一例を示す図である。
【図６】従来の映像録画再生装置の構成を示すブロック図である。
【符号の説明】
１０１  制御部
１０２  アンテナ
１０３  入力部
１０４  モニタ
１０５  メモリ
１０６  録画部
１０７  再生部
１０８  記録媒体
１０９  番組管理部
【図１】
2004172682.tif 000003
【図２】
2004172682.tif 000004
【図３】
2004172682.tif 000005
【図４】
2004172682.tif 000006
【図５】
2004172682.tif 000007
【図６】
2004172682.tif 000008